(57)【特許請求の範囲】
【請求項１】
車両に搭載され、共通の電池から供給される電力により発揮する、走行機能を含む少なくとも３つ以上の複数の機能に対し、当該電池の残存電力の配分割合を設定する制御装置であって、
ユーザ指示に応じて、前記配分割合を変更する変更手段と、
前記複数の機能ごとに、前記残存電力と前記配分割合とから、当該機能に応じた単位での当該機能が発揮可能な発揮可能量を導出する導出手段と、
前記複数の機能ごとに、前記配分割合と前記発揮可能量とを表示手段に表示させる表示制御手段と、
を備え、
前記変更手段は、前記走行機能以外の一の機能に関する前記配分割合を変更するユーザ指示があった場合は、前記走行機能への前記配分割合を減少させずに前記配分割合を調整することを特徴とする制御装置。
【請求項２】
請求項１に記載の制御装置において、
前記表示制御手段は、前記表示手段へ、前記発揮可能量を表示させるとともに、前記残存電力と前記配分割合とを一体的に表示させることを特徴とする制御装置。
【請求項３】
請求項１又は請求項２の何れかに記載の制御装置において、
前記導出手段は、前記変更手段によって前記配分割合が変更された場合に、前記発揮可能量の導出を行うことを特徴とする制御装置。
【請求項４】
請求項１から請求項３の何れかに記載の制御装置において、
更に、ユーザを認識するユーザ認識手段を備え、
前記配分割合の初期設定は、認識したユーザに応じた設定を行うことを特徴とする制御装置。
【請求項５】
請求項１から請求項４の何れかに記載の制御装置において、
更に、走行距離を設定する走行距離設定手段を備え、
前記配分割合の初期設定は、設定された前記走行距離に基づいて前記走行機能に対する配分割合を設定することを特徴とする制御装置。
【請求項６】
車両に搭載され、共通の電池から供給される電力により発揮する、走行機能を含む少なくとも３つ以上の複数の機能に対し、当該電池の残存電力の配分割合を設定する制御方法であって、
ユーザ指示に応じて、前記配分割合を変更する変更工程と、
前記複数の機能ごとに、前記残存電力と前記配分割合とから、当該機能に応じた単位での当該機能が発揮可能な発揮可能量を導出する導出工程と、
前記複数の機能ごとに、前記配分割合と前記発揮可能量とを表示手段に表示させる表示制御工程と、
を備え、
前記変更工程は、前記走行機能以外の一の機能に関する前記配分割合を変更するユーザ指示があった場合は、前記走行機能への前記配分割合を減少させずに前記配分割合を調整することを特徴とする制御方法。
【発明の詳細な説明】
【技術分野】
【０００１】
本発明は、共通の電池から供給される電力により発揮する複数の機能に対し、当該電池の残存電力の配分割合を設定する技術に関する。
【背景技術】
【０００２】
可搬性を有する電化製品は、搭載する電池から供給される電力により、種々の機能を発揮する。電化製品は、例えば、デジカメ、携帯電話、携帯情報端末、ノートパソコン、携帯電子辞書、携帯音楽再生プレーヤ、携帯ゲーム機、電気自動車、ハイブリッド自動車、又は、電気自転車などがある。
【０００３】
多機能化する電化製品は、消費電力も多くなる傾向にあるため、ユーザは電池の電力残量を電化製品の表示画面やランプにおいて確認することによって、充電時期を判断し充電を行っている。
【０００４】
例えば、特許文献１に、電気自動車の電力残量を表示する技術が開示されている。
【先行技術文献】
【特許文献】
【０００５】
【特許文献１】特開平08-126103号公報
【発明の概要】
【発明が解決しようとする課題】
【０００６】
しかし、多機能化する電化製品のうち、ユーザが必要性が低いと考える機能へ電池の電力が利用されると、ユーザが必要性が高いと考える機能へ利用する電力が少なくなってしまい、その機能が十分に発揮されない虞がある。
【０００７】
本発明は、上記課題に鑑みてなされたものであり、電化製品においてユーザが必要性が高いと考える機能が十分に発揮できる技術を提供することを目的とする。
【課題を解決するための手段】
【００１３】
上記課題を解決するため、請求項１の発明は、車両に搭載され、共通の電池から供給される電力により発揮する、走行機能を含む少なくとも３つ以上の複数の機能に対し、当該電池の残存電力の配分割合を設定する制御装置であって、ユーザ指示に応じて、前記配分割合を変更する変更手段と、前記複数の機能ごとに、前記残存電力と前記配分割合とから、当該機能に応じた単位での当該機能が発揮可能な発揮可能量を導出する導出手段と、前記複数の機能ごとに、前記配分割合と発揮可能量とを表示手段に表示させる表示制御手段と、を備え、前記変更手段は、前記走行機能以外の一の機能に関する前記配分割合を変更するユーザ指示があった場合は、前記走行機能への前記配分割合を減少させずに前記配分割合を調整することを特徴とする。
【００１４】
また、請求項２の発明は、請求項１に記載の制御装置において、前記表示制御手段は、前記表示手段へ、前記発揮可能量を表示させるとともに、前記残存電力と前記配分割合とを一体的に表示させることを特徴とする。
【００１５】
また、請求項３の発明は、請求項１又は請求項２の何れかに記載の制御装置において、前記導出手段は、前記変更手段によって前記配分割合が変更された場合に、前記発揮可能量の導出を行うことを特徴とする。
【００１６】
また、請求項４の発明は、請求項１から請求項３の何れかに記載の制御装置において、更に、ユーザを認識するユーザ認識手段を備え、前記配分割合の初期設定は、認識したユーザに応じた設定を行うことを特徴とする。
【００１７】
また、請求項５の発明は、請求項１から請求項４の何れかに記載の制御装置において、更に、走行距離を設定する走行距離設定手段を備え、前記配分割合の初期設定は、設定された前記走行距離に基づいて前記走行機能に対する配分割合を設定することを特徴とする。
【００１９】
また、請求項６の発明は、車両に搭載され、共通の電池から供給される電力により発揮する、走行機能を含む少なくとも３つ以上の複数の機能に対し、当該電池の残存電力の配分割合を設定する制御方法であって、ユーザ指示に応じて、前記配分割合を変更する変更工程と、前記複数の機能ごとに、前記残存電力と前記配分割合とから、当該機能に応じた単位での当該機能が発揮可能な発揮可能量を導出する導出工程と、前記複数の機能ごとに、前記配分割合と発揮可能量とを表示手段に表示させる表示制御工程と、を備え、前記変更工程は、前記走行機能以外の一の機能に関する前記配分割合を変更するユーザ指示があった場合は、前記走行機能への前記配分割合を減少させずに前記配分割合を調整することを特徴とする。
【発明の効果】
【００２０】
請求項１ないし６の発明によれば、少なくとも３つ以上の複数の機能に含まれる走行機能以外の一の機能に関する配分割合を変更するユーザ指示があった場合は、走行機能への前記配分割合を減少させずに前記配分割合を調整するので、車両の重要度が高い機能である走行機能に対する配分割合が、他の重要度の低い機能の配分割合の変更により変更されることがなく、再調整が不要になって無駄な手間を省くことができる。
【００２１】
また、請求項２の発明によれば、表示手段へ発揮可能量を表示するとともに、電池の残存電力と配分割合を一体的に表示するので、配分割合を量的に理解しやすく、かつ、機能に応じた単位で各機能があとどれくらい利用できるかを理解することができる。
【００２２】
また、請求項３の発明によれば、配分割合が変更された場合に、残存電力と配分割合とから、機能に応じた単位での機能が発揮可能な発揮可能量を導出するので、変更時に、機能に応じた単位で各機能があとどれくらい利用できるかを理解することができる。
【００２３】
また、請求項４の発明によれば、配分割合の初期設定をユーザに応じて設定するので、初期設定に手間を省くことができる。
【００２６】
また、請求項５の発明によれば、更に、備えた走行距離を設定する走行距離設定手段により、設定された走行距離に基づいて初期設定における走行機能に対する配分割合を設定するので、目的地に到達するのに必要な電力を確保しつつ、他の機能の配分を設定することができる。
【図面の簡単な説明】
【００２７】
【図１】図１は、ガソリンメータを示す図である。
【図２】図２は、電力配分システムを示す図である。
【図３】図３は、電力配分システムのブロック図である。
【図４】図４は、電力配分システムを示す図である。
【図５】図５は、操作・表示部を示す図である。
【図６】図６は、操作・表示部を示す図である。
【図７】図７は、操作・表示部を示す図である。
【図８】図８は、電力配分制御を示すフローチャート図である。
【図９】図９は、車両外部システムを示す図である。
【図１０】図１０は、電力配分制御を示すフローチャート図である。
【図１１】図１１は、操作・表示部を示す図である。
【図１２】図１２は、電力配分制御を示すフローチャート図である。
【図１３】図１３は、電力配分のシステムブロック図である。
【図１４】図１４は、操作・表示部を示す図である。
【図１５】図１５は、電力メータを示す図である。
【発明を実施するための形態】
【００２８】
本発明は、共通の電池から供給される電力により発揮する複数の機能に対し、当該電池の残存電力の配分割合を設定する制御装置の技術に関するものであり、全ての技術分野における制御装置に適用されるものであるが、便宜上、電気自動車と称される車両に搭載される制御装置を実施の形態として、添付図面を参照しながら説明を行う。
【００２９】
＜代表の実施の形態＞
内燃機関であるエンジンを制御して走行する車両は、ガソリンを燃料としており、ユーザは車両に搭載のインパネに表示される、図１に示すようなガソリンメータによって燃料の不足を判断して、ガソリンスタンドにおいて燃料を補給する。
【００３０】
また、車両の航続距離は、ガソリンメータに表示されるガソリン残量のみからは認識できないが、その車の仕様からわかっているガソリン1リットル当たりの航続距離を、ガソリン残量に乗じることによって、その航続距離を認識することができる。
【００３１】
他方、電動モータを制御して走行する車両は、搭載する電池の電力を駆動源としており、ユーザは搭載のインパネに表示される電力メータによって電力の不足を判断して、充電スタンドにおいて充電を行うとともに、搭載のインパネに電池の残存電力に基づいて車両の航続距離を表示するようにしているため、ユーザはその航続距離を認識することができる。
【００３２】
しかし、共通の電池から供給される電力により、種々の機能（例えば、走行機能を担う電動モータ、空調機能を担う冷暖房装置、音響機能を担うオーディオなど）を発揮させる車両においては、電池の電力残量から計算された航続距離が正確であるとは言えない。なぜならば、電池の電力は空調機能などにも利用され、かつ、その利用量は予測ができないからである。航続距離が正確でないと、充電スタンドが少ないなどのインフラ問題により目的地に到達できなかったり、目的地からの帰路の途中において走行不可能な状態に陥ったりする虞があり、また、急速充電技術が確立されていないなどの技術的問題により、充電に時間がかかって希望時間通りに目的地へ到達できなかったりする虞がある。
【００３３】
つまり、その車両において、ユーザが、必要性が高いと考える走行機能の発揮が必要性が比較的低いと考える空調機能や音響機能の発揮によって、十分に行われない虞がある。
【００３４】
そこで、以下の本実施の形態において、ユーザは、必要性が高いと考える走行機能を十分に発揮させるとともに、必要性が比較的低いと考える空調機能や音響機能も適宜発揮させる技術を説明する。
【００３５】
（表示・操作システム）
まず、車両である電気自動車に搭載される表示・操作システムについて説明する。図２は、表示・操作システムを示す図である。表示・操作システムは、携帯電話Ｋ、第１操作部２０、第１表示部２１、第２操作部３０、第２表示部３１、第３操作部４０、第３表示部４１、第４表示部１０、及び、図３に示す制御装置５から構成される。
【００３６】
携帯電話Ｋは、車両の運転席と助手席の間のパネルの所定位置に着脱可能に備える。また、携帯電話Ｋは、携帯電話において周知の機能の他に、制御装置５と近距離無線通信を行って所定のデータを送受信し、携帯電話Ｋに備える表示部において、横軸を時間とし縦軸を消費電力量とした時系列の車両搭載の電池の電力消費量を表示する機能を備える。
【００３７】
第１操作部２０は、走行機能に対する電池の残存電力における配分割合（以降、単に配分割合という）の変更を、ユーザから受け付ける機能を担っている。従って、ユーザが操作することによりその配分割合を増減できる。
【００３８】
第１表示部２１は、走行機能に関する情報を制御装置５によって表示制御される。
【００３９】
第２操作部３０は、オーディオ機能に対する配分割合の変更を、ユーザから受け付ける機能を担っている。
【００４０】
第２表示部３１は、オーディオ機能に関する情報を制御装置５によって表示制御される。
【００４１】
第３操作部４０は、空調機能に対する配分割合の変更を、ユーザから受け付ける機能を担っている。
【００４２】
第３表示部４１は、空調機能に関する情報を制御装置５によって表示制御される。
【００４３】
第４表示部１０は、車両に搭載され、電池である２次電池の電力残量をバー表示するとともに、バー表示された電力残量に、複数の機能（走行機能、オーディオ機能、空調機能）に対する配分割合を、重畳して表示する。この配分割合は、ユーザから上記操作部が変更を受け付けると変更される
（電力配分システム）
次に、電力配分システムについて説明する。図３は電力配分システムを示す図である。
【００４４】
電力配分システムは、制御装置５、第１表示部２１、第１操作部２０、第２表示部３１、第２操作部３０、第３表示部４１、第３操作部４０、第４表示部、空調制御装置６、空調装置６０、電動機制御装置７、電動機７０、充放電制御装置８、電池８０、オーディオ９、及び、充電装置４などから構成される。
【００４５】
（制御装置）
制御装置５は、制御プログラムなどが記憶された不揮発性記憶部５１、演算される際のワーキングエリアとなる揮発性記憶部５２を備える。更に、制御装置５は、制御プログラムと、第１操作部２０、第２操作部３０、若しくは、第３操作部４０、又は、空調制御装置６などから入力される信号とに基づいて電力配分システムにおける種々の機能（表示制御機能、電力配分機能など）を発揮するための制御を実行する制御部５０を備える。
【００４６】
例えば、制御部５０は、各操作部２１、３１、４１においてユーザから受け付けた各配分割合の変更を示す信号を受信し、前段の表示方法において説明したように、変更を示す信号に基づいて各表示部の表示内容を変更する表示制御を実行する（表示制御機能）。
【００４７】
例えば、制御部５０は、各操作部２１、３１、４１においてユーザから受け付けた各配分割合の変更を示す信号を受信し、各配分割合の設定を行う（配分割合設定機能）。配分割合設定機能とは、制御部５０が、車載ネットワークＬを介して、充放電制御装置８から得た電池の残存電力と、各操作部２１、３１、４１により変更された各機能に対する各配分割合に基づいて、算出された各機能の利用可能電力を、車載ネットワークＬを介して、走行機能を発揮する電動機制御装置７、オーディオ機能を発揮するオーディオ９、及び、空調機能を発揮する空調制御装置６へ送信することを言う。利用可能電力を受信した各制御装置は、利用する電力が利用可能電力に達すると各機能を停止する。
【００４８】
（表示部・操作部）
第１表示部２１、第１操作部２０、第２表示部３１、第２操作部３０、第３表示部４１、第３操作部４０、及び、第４表示部の詳細について説明する。
【００４９】
各操作部２１、３１、４１は、各表示部を囲む帯状の輪により構成されている。帯状の輪の形態には、静電センサが備えられており、ユーザの指が触れると静電センサが感知し、感知した際の信号を制御装置５へ送信する。ユーザが指で帯状の輪を撫でるように触れることにより制御装置５はその配分割合を増減する。詳述すると、制御装置５は、ユーザの指が触れた帯状の輪の面積に応じて、配分量を増減するとともに、帯状の輪を右回りに触れられるとその配分割合が増加し、左回りに触れられると配分割合が減少する。
【００５０】
各表示部は、各操作部２１、３１、４１の帯状の輪の中に円形に構成されている。各表示部はその表示内容を制御装置５によって表示制御される。
【００５１】
（電動機制御装置）
電動機制御装置７は、走行機能を担っており、走行用の電動機７０を制御して車両を走行制御する。また、前述したように、制御装置５から車載ネットワークＬを介して利用可能電力を取得し、走行制御の際に利用する電力が利用可能電力に達するとその走行制御を停止する。
【００５２】
（空調制御装置）
空調制御装置６は、空調機能を担っており、空調装置６０を制御して車内の空調を制御する。また、前述したように、制御装置５から車載ネットワークＬを介して利用可能電力を取得し、空調制御の際に利用する電力が利用可能電力に達するとその空調制御を停止する。
【００５３】
（オーディオ）
オーディオ９は、オーディオ機能を担っており、搭載するＣＤ再生装置やラジオ受信機を制御するとともに、図示しない車両に搭載される音出力部を制御する。また、前述したように、制御装置５から車載ネットワークＬを介して利用可能電力を取得し、その制御の際に利用する電力が利用可能電力に達するとその制御を停止する。
【００５４】
（充放電制御装置）
充放電制御装置８は、２次電池である電池８０を充放電制御する。充放電制御装置８は、充電装置４から供給される電力を電池８０へ充電させる充電制御を実行する。また、車両３に、減速走行時や停止時にモータが発電した電力を充電する回生機能が搭載されている場合には、その発電した電力を電池８０へ充電させる充電制御を実行する。他方、充放電制御装置８は、他の制御装置が走行機能、オーディオ機能、又は、空調機能などの機能を発揮する際に必要な電力を供給するために、電池８０を放電制御する。
【００５５】
更に、前述したように、充放電制御装置８は、電池８０の残存電力情報を車載ネットワークＬを介して、制御装置５へ送信する。
【００５６】
（表示操作方法）
制御装置５は、ユーザから、第１操作部２０、第２操作部３０、又は、第３操作部４０が、各機能の配分割合の変更を受け付けると、第４表示部１０の電力残量を示すバー表示における配分表示を変更する。更に、制御装置５は、この表示変更に連動させて、第１表示部２１、第２表示部３１、又は、第２表示部４１の表示も変更する。
【００５７】
（第４表示部）
制御装置５は、電池の残存電力が満タンの場合は、図４に示すように、第４表示部１０に表示される、残存電力を示すバー（領域１１、領域１２、及び、領域１３から構成されるバー）を、第４表示部１０において最大表示する。逆に、電池の電力が無くなると、制御装置５は、バーがなくなって満タンから減少した電力を示す領域１４のみの表示とする。この表示制御は、制御装置５が、充放電制御装置８から得た電池の残存電力情報に基づいて実行する。
【００５８】
（領域１１）
第４表示部１０の領域１１は、残存電力において表示する各領域のうち、走行機能の配分割合を示す領域である。また、領域１１は、第１操作部２０がユーザからその配分割合の変更を受け付ると、制御装置５によって第４表示部の配分割合を変更表示される。なお、ユーザから他の操作部が受け付けた配分割合の変更により領域１１の配分割合が、制御装置５によって連動して変更表示される場合があるがこの場合については後述する。以降この制御を、連動変更表示制御という。
【００５９】
（領域１２）
第４表示部１０の領域１２は、残存電力のうち、オーディオ機能の配分割合を示す領域である。また、領域１２は、第２操作部３０がユーザから変更を受け付ると制御装置５によって変更表示される。なお、連動変更表示ついては後述する。
【００６０】
（領域１３）
第４表示部１０の領域１３は、残存電力のうち、空調機能の配分割合を示す領域である。また、領域１３は、第３操作部４０がユーザから変更を受け付ると変更表示される。この表示制御は、制御装置５が実行する。なお、連動変更表示については後述する。
【００６１】
（第１表示部）
第１表示部２１の表示は、制御装置５によって領域１１の変更に伴って変更表示される。第１表示部２１は、制御装置５によって電池の残存電力と変更された領域１１に示す配分割合とから、走行機能に応じた単位、（例えば、キロメートル（ｋｍ））での走行機能の発揮可能量を導出されて表示される。換言すると、第１表示部は、制御装置５によって電池の残存電力と変更された領域１１に示す配分割合とからあとどれくらい走行可能かを算出されたものを表示される。なお、連動変更表示ついては後述する。
【００６２】
次に、モード変更について説明する。第１表示部２１は、モード変更用の第１スイッチにもなっており、ユーザにより第１スイッチが押されると、図５に示すように、第２表示部３１、及び、第３表示部４１が、制御装置５によって第１表示部２１が表示する走行機能に関連する情報に変更される。つまり、第２表示部、及び、第３表示部が、制御装置５によって、第１表示部に関連する情報に表示される（第１モード）。
【００６３】
第１モードは、例えば、図５に示すように、第１表示部２１には、航続距離を示すコンテンツ２１Ａが、制御装置５によって表示される。また、第２表示部３１には、車両が前述する回生制御を実行している際に、電池８０へ充放電制御装置８が充電中であることを示すコンテンツ３１Ｂが、制御装置５によって表示される。或いは、第２表示部３１には、月間の電力消費（電費）を示すコンテンツ３１ＢＢが、制御装置５によって表示される。また、第３表示部４１には、走行時の運転のエコレベルを示すコンテンツ４１Ｃが、制御装置５によって表示される。
【００６４】
なお、制御装置５は、第１モードへの変更から所定時間（１０秒）経過後に、元の表示へ戻す。或いは、設けられた戻す専用のスイッチがユーザから戻すことを受け付けると制御装置５が元の表示へ戻す。
【００６５】
（第２表示部）
第２表示部３１の表示は、領域１２の変更に伴って制御装置５によって変更表示される。第２表示部３１は、制御装置５によって、電池の残存電力と変更された領域１２に示す配分割合とから、オーディオ機能に応じた単位、（例えば、ＣＤアルバム数を示す単位（Ａｌｂｕｍ）、又は、時間（ｈｏｕｒ））でのオーディオ機能の発揮可能量が導出されて表示される。換言すると、第２表示部３１は、制御装置５によって、電池の残存電力と変更された領域１２に示す配分割合とからあとどれくらいコンテンツ再生可能かを算出されたものが第２表示部３１へ表示される。なお、連動変更表示ついては後述する。
【００６６】
次に、モード変更について説明する。第２表示部３１は、モード変更用の第２スイッチにもなっており、ユーザにより第２スイッチが押されると、図６に示すように、第１表示部２１、及び、第３表示部４１が、制御装置５によって第２表示部３１が表示するオーディオ機能に関連する情報に変更される。つまり、第１表示部、及び、第３表示部が、制御装置５によって、第２表示部に関連する情報に表示される（第２モード）。
【００６７】
第２モードは、例えば、図６に示すように、第１表示部２１には、配分された電力により再生可能なＣＤのアルバム枚数を示すコンテンツ２１Ａが、制御装置５によって表示される。また、第２表示部３１には、再生状況を示すコンテンツ３１Ｂが、制御装置５によって表示される。或いは、第２表示部３１には、ＣＤのトラックを示すコンテンツ３１Ｂが、制御装置５によって表示される。また、第３表示部４１には、音量を示すコンテンツ４１Ｃが、制御装置５によって表示される。
【００６８】
なお、制御装置５は、第２モードへの変更から所定時間（１０秒）経過後に、元の表示へ戻す。或いは、設けられた戻す専用のスイッチがユーザから戻すことを受け付けると制御装置５が元の表示へ戻す。
【００６９】
（第３表示部）
第３表示部４１の表示は、領域１３の変更に伴って制御装置５によって変更表示される。第３表示部４１は、制御装置５によって、電池の残存電力と変更された領域１３が示す配分割合とから、空調機能に応じた単位、（例えば、時間（ｈｏｕｒ））での空調機能の発揮可能量が導出されて表示される。換言すると、第３表示部４１は、制御装置５によって、電池の残存電力と変更された領域１３に示す配分割合とからあとどれくらい運転可能かを算出されたものが第３表示部４１へ表示される。なお、連動変更表示については後述する。
【００７０】
次に、モード変更について説明する。第３表示部４１は、モード変更用の第３スイッチにもなっており、ユーザにより第３スイッチが押されると、図７に示すように、第１表示部２１、及び、第２表示部３１が、制御装置５によって第１表示部が表示する走行機能に関連する情報に変更される。つまり、第１表示部２１、及び、第２表示部３１が、制御装置５によって、第３表示部４１に関連する情報に表示される（第３モード）。
【００７１】
第３モードは、例えば、図７に示すように、第１表示部２１には、空調制御の運転時間を示すコンテンツ２１Ａが、制御装置５によって表示される。また、第２表示部３１には、風量を示すコンテンツ３１Ｂが、制御装置５によって表示される。或いは、第２表示部３１には、吹き出しの有無を示すコンテンツ３１Ｂが、制御装置５によって表示される。また、第３表示部４１には、設定温度を示すコンテンツ４１Ｃが、制御装置５によって表示される。
【００７２】
なお、制御装置５は、第２モードへの変更から所定時間（１０秒）経過後に、元の表示へ戻す。或いは、設けられた戻す専用のスイッチがユーザから戻すことを受け付けると制御装置５が元の表示へ戻す。
【００７３】
また、第４表示部１０の各領域１１、１２、１３と、第１表示部ないし第３表示部２１、３１、４１とは、表示色によって対応付けられている。例えば、領域１１と第１表示部２１とは青色で表示され、領域１２と第２表示部３１とは緑色で表示され、領域１３と第３表示部４１とは黄色で表示される。
（連動変更表示制御）
ユーザから一の操作部が受け付けた一の機能に対する配分割合の変更に連動して、各表示部の表示が、制御装置５によって変更される場合があるが、この場合を図８に基づいて説明する。なお、便宜上、一のフローチャート図により説明するが、制御装置５がユーザから受けた指示に応じて処理を逐一実行するイベントドリブン型の制御であっても良い。
【００７４】
制御装置５は、図８に示す制御を実行する。制御装置５は、第１操作部がユーザから走行機能に対する配分割合の増量操作を受け付けたか否かを判定する（ステップＳ３００）。制御装置５は、第１操作部が増量操作を受け付けたと判定する場合は、ステップＳ３０１へ移行する。
【００７５】
ステップ３０１において、制御装置５は、第１操作部がユーザから受け付けた操作量に応じた走行機能の発揮可能量を第１表示部において増量する表示制御をする。次に、ステップＳ３０２へ移行する。制御装置５は、受け付けたと判定しない場合は、ステップＳ３０４へ移行する。
【００７６】
ステップ３０２において、制御装置５は、第１表示部において変更表示した、走行機能の発揮可能量を、電力に換算し、その電力が残存電力においてどれくらいの配分割合となるかを算出する。その配分割合における、変更前の配分割合よりも増加した分を、オーディオ機能に対する配分割合と、空調機能に対する配分割合とにおいて減少させる。その減少割合はそれらの機能において均等にする。均等に減少したそれら配分割合と、電池８０の残存電力とから各機能に応じた単位でのそれら機能が発揮可能な発揮可能量を算出する。算出したそれら発揮可能量を、それぞれ第２表示部、及び、第３表示部へ表示する。つまり、制御装置５は、変更表示する前の各発揮可能量よりも減量したそれら発揮可能量をそれぞれ第２表示部、及び、第３表示部へ表示する。次に、ステップＳ３０３へ移行する。
【００７７】
ステップＳ３０３において、制御装置５は、大きくなった走行機能に対する配分割合と、均等に減少されたオーディオ機能に対する配分割合と、空調機能に対する配分割合とを第４表示部の残存電力を示すバーにおいて一体的に重畳表示させる。次に、ステップＳ３０４へ移行する。
【００７８】
ステップＳ３０４において、制御装置５は、第２操作部がユーザからオーディオ機能に対する配分割合の増量操作を受け付けたか否かを判定する。制御装置５は、第２操作部が増量操作を受け付けたと判定する場合は、ステップＳ３０５へ移行する。制御装置５は、受け付けたと判定しない場合は、ステップＳ３０８へ移行する。
【００７９】
ステップ３０５において、制御装置５は、第２操作部がユーザから受け付けた操作量に応じたオーディオ機能の発揮可能量を第２表示部において増量の表示制御をする。次に、ステップＳ３０６へ移行する。
【００８０】
ステップ３０６において、制御装置５は、第２表示部において変更表示した、オーディオ機能の発揮可能量を、電力に換算し、その電力が残存電力においてどれくらいの配分割合となるかを算出する。その配分割合における、変更前の配分割合よりも増加した分を、空調機能に対する配分割合において減少させる。この際、走行機能に対する配分割合は小さくせず維持される。減少したオーディオ機能に対する配分割合と、減少した空調機能に対する配分割合と、電池８０の残存電力とからオーディオ機能と空調機能とに応じた単位でのそれら機能が発揮可能な発揮可能量を算出する。算出したそれら発揮可能量を、それぞれ第２表示部、及び、第３表示部へ表示する。つまり、制御装置５は、変更表示する前のそれら発揮可能量よりも増量及び減量したそれら発揮可能量をそれぞれ第２表示部、及び、第３表示部へ表示する。次に、ステップＳ３０７へ移行する。
【００８１】
ステップＳ３０７において、大きくなったオーディオ機能に対する配分割合と、小さくした空調機能に対する配分割合とを第４表示部の残存電力を示すバーにおいて一体的に、重畳表示させる。次にステップＳ３０８へ移行する。
【００８２】
ステップＳ３０８において、制御装置５は、第３操作部がユーザから空調機能に対する配分割合の増量操作を受け付けたか否かを判定する。制御装置５は、第３操作部が増量操作を受け付けたと判定する場合は、ステップＳ３０９へ移行する。制御装置５は、受け付けたと判定しない場合は、リターンへ移行する。
【００８３】
ステップ３０９において、制御装置５は、ユーザが第３操作部を増量操作した操作量に応じた空調機能の発揮可能量を第３表示部において増量する表示制御をする。次に、ステップＳ３１０へ移行する。
【００８４】
ステップ３１０において、制御装置５は、第３表示部において変更表示した、空調機能の発揮可能量を、電力に換算し、その電力が残存電力においてどれくらいの配分割合となるかを算出する。その配分割合における、変更前の配分割合よりも増加した分を、オーディオ機能に対する配分割合において減少させる。この際、走行機能に対する配分割合は小さくせず維持される。増加した空調機能に対する配分割合と、減少したオーディオ機能に対する配分割合と、電池８０の残存電力とからオーディオ機能と空調機能とに応じた単位でのそれら機能が発揮可能な発揮可能量を算出する。算出したそれら発揮可能量を、それぞれ第２表示部、及び、第３表示部へ表示する。つまり、制御装置５は、変更表示する前のそれら発揮量よりも減量及び増量したそれら発揮可能量をそれぞれ第２表示部、及び、第３表示部へ表示する。次に、ステップＳ３１１へ移行する。
【００８５】
ステップＳ３１１において、小さくなったオーディオ機能に対する配分割合と、大きくなった空調機能に対する配分割合とを第４表示部の残存電力を示すバーにおいて一体的に重畳表示させる。
【００８６】
このような、連動変更表示制御を実行することにより、制御装置５は、走行機能以外の一の機能に関する配分割合を変更するユーザ指示があった場合は、走行機能への配分割合を減少させずに、他の機能に関する配分割合を変更して調整させることによって、車両において重要度が高い機能である走行機能に対する配分割合が、他の重要度の低い機能の配分割合の変更により変更されることがなく、再調整が不要になって無駄な手間を省くことができる。
【００８７】
（車両外部システム）
電力配分システムを搭載した車両と、連携する車両外部システムについて図９に基づいて説明する。
【００８８】
車両外部システム１００は、車両３、充電装置４、及び、屋内ネットワーク１０１から構成される。
【００８９】
車両１００は、電力配分システムを備えた電気自動車であり、充電装置４と充電ケーブルによって電気的に接続され、充電装置４から電力の供給を受けるとともに、充電ケーブルに備わった通信手段によりデータ通信を行う。
【００９０】
充電装置４は、車両１００と充電ケーブルによって電気的に接続され、車両１００へ電力を供給するとともに、充電ケーブルに備わった通信手段によりデータ通信を行う。
【００９１】
屋内ネットワーク１０１は、ローカルエリアネットワーク１８、ルータ１７、パソコン１６、及び、電力配分端末１５から構成される。
【００９２】
ローカルエリアネットワーク１８は、電気的に接続するルータ１７を介してインターネット接続可能になっており、電気的に接続するパソコン１６や電力配分端末１５において、インターネット上のコンテンツを閲覧可能になっている。
【００９３】
ルータ１７は、周知の機能を有するネットワーク間のデータを中継する装置である。
【００９４】
パソコン１６は、周知の機能を有するコンピュータである。
【００９５】
電力配分端末１５は、屋内ネットワーク１０１、充電ケーブル、及び、充電装置４を介して、車両３に搭載されている電力配分システムの電力配分を遠隔操作する機能を備えている。電力配分端末１５は、第１表示部２１Ｘ、第１操作部２０Ｘ、第２表示部３１Ｘ、第２操作部３０Ｘ、第３表示部４１Ｘ、第３操作部４０Ｘ、モード変更スイッチ９１、及び、第５表示部１９を備えている。
【００９６】
電力配分端末１５は、遠隔操作によって前述したような電力配分が可能である。車両３に搭載の電力配分システムにおける第４表示部の表示は、電力配分端末１５の第５表示部１９において機能する。また、電力配分端末１５は、モード変更スイッチ９１がユーザからモード変更を受け付けると、前述したような電力配分を設定するモードの他に、ユーザに便利な種々の設定が実行可能なモードへ変更する。種々の設定とは、充電開始・終了時間の設定、走行機能に対する配分割合を地図データに連携させて設定する初期設定（地図データ連携初期設定）、予めユーザごとに記憶させておいた電力配分に設定する初期設定などがある（ユーザ別初期設定）。
【００９７】
（地図データ連携初期設定）
地図データ連携初期設定について、図１０に基づいて説明する。電力配分端末１５がユーザから目的地の設定を受け付ける（ステップＳ４００）。目的地は、図１１に示すように、電力配分端末の第５表示部１９へインターネットを介して取得した、又は、パソコン１６から取得した地図データが表示されるとともに、車両３搭載の電池８０の残存電力に基づいて算出された航続可能距離に基づいて、現在地２０１から出発して現在地２０１へ戻れる第１範囲２０２と、戻ることはできないが到達することができる第２範囲２０３と、到達困難な第３範囲２０４とが表示される。また、電力配分端末１５は、第１範囲、第２範囲、第３範囲を表示する際に、それら範囲が示す距離から車両３が走行するのに最低限度必要となる電力量も算出して、各範囲の傍らに算出した電力量を第５表示部１９へ表示する。また、第５表示部１９へ、車両３搭載の電池８０の残存電力量もバー表示する。これにより、ユーザは車両搭載の電池の残存電力において地図上のどの範囲の距離を移動して戻れるか、最大でどこまで到達できるか、どの辺りは到達できないかを把握することができる。次にステップＳ４０１へ移行する。
【００９８】
ステップＳ４０１において、電力配分端末１５は、第１操作部２０Ｘがユーザから受け付けた操作量に応じた走行機能の発揮可能量を第１表示部２１Ｘにおいて変更して表示制御する。次に、ステップＳ４０２へ移行する。
【００９９】
ステップ４０２において、電力配分端末１５は、第１表示部２１Ｘにおいて変更表示した、走行機能の発揮可能量を、電力に換算し、その電力が残存電力においてどれくらいの配分割合となるかを算出する。その配分割合を基本とし、残りの配分割合をオーディオ機能に対する配分割合と、空調機能に対する配分割合とにより均等に割り付ける。それら配分割合と、電池８０の残存電力とから各機能に応じた単位でのそれら機能が発揮可能な発揮可能量を算出する。算出したそれら発揮可能量を、それぞれ第２表示部３１Ｘ、及び、第３表示部４１Ｘへ表示する。ステップＳ４０３へ移行する。
【０１００】
ステップＳ４０３において、電力配分端末１５は、ユーザから受け付けた走行機能に対する配分割合と、均等に割り付けられたた空調機能に対する配分割合と、オーディオ機能に対する配分割合とを第５表示部１９へ残存電力を示すバーにおいて一体的に重畳表示させる。
【０１０１】
このような、地図データ連携初期設定機能を備えることにより、ユーザは車両搭載の電池８０の残存電力により、目的地などへ到達できる距離を走行可能であるという、安心感を得ることができ、その上で、重要度が高い走行機能と比べて重要度が低いオーディオ機能や空調機能をどれくらい利用できるかを知ることができる。
【０１０２】
（モード別初期設定）
モード別初期設定について、図１２に基づいて説明する。電力配分端末１５は、ユーザからモードの設定を受け付ける（ステップＳ５００）。モード設定は、電力配分端末１５が、各操作部２１、３１、４１が受け付けたモードに応じた各機能に対する各配分割合を初期設定する。例えば、電力配分端末１５が、ユーザ（父モード、母モード、兄モード、姉モード、弟モードなど）ごとに各機能に対する配分割合を予め記憶部へ記憶しておき、操作部から受け付けたユーザ名に対応する配分割合を記憶部から読み出して設定する。次にステップＳ５０１へ移行する。
【０１０３】
ステップＳ５０１において、電力配分端末１５は、任意の操作部がユーザから受け付けたモードに応じた走行機能の発揮可能量を第１表示部２１Ｘにおいて表示制御する。次に、ステップＳ５０２へ移行する。
【０１０４】
ステップ５０２において、電力配分端末１５は、任意の操作部がユーザから受け付けたモードに応じたオーディオ機能の発揮可能量を第１表示部３１Ｘにおいて表示制御する。次に、ステップＳ５０３へ移行する。
【０１０５】
ステップＳ５０３において、電力配分端末１５は、任意の操作部がユーザから受け付けたモードに応じた空調機能の発揮可能量を第１表示部４１Ｘにおいて表示制御する。次に、ステップＳ５０４へ移行する。
【０１０６】
ステップＳ５０４において、電力配分端末１５は、ユーザから受け付けた走行機能に対する配分割合と、均等に割り付けられたた空調機能に対する配分割合と、オーディオ機能に対する配分割合とを第５表示部１９へ残存電力を示すバーにおいて一体的に重畳表示させる。
【０１０７】
このような、モード別初期設定機能を備えることにより、車両３を利用する度に自分仕様の配分割合に設定しなければならないという手間を省くことができる。
【０１０８】
＜変形例＞
以上、本発明の実施の形態について説明してきたが、この発明は上記実施の形態に限定されるものではなく様々な変形が可能である。以下では他の実施の形態について主に上記実施の形態とは相違する点を説明する。もちろん、以下で説明する形態を適宜組み合わせても良い。
【０１０９】
＜変形例１＞
上記代表の実施の形態における連動変更表示制御は、制御装置５が、走行機能以外の一の機能に関する配分割合を変更するユーザ指示があった場合は、走行機能への配分割合を減少させずに、他の機能に関する配分割合を変更して調整させる制御であれば良いため、次のような、連動変更表示制御であっても良い。
【０１１０】
制御装置５が、第１操作部２０が増量操作された場合に、走行機能に対する配分割合をその増量に応じて大きくするとともに、その増量分に応じた配分割合を、オーディオ機能に対する配分割合、又は、空調機能に対する配分割合の何れか一の配分割合のみを小さくして調整する。
【０１１１】
制御装置５が、第１操作部２０が増量操作された場合に、走行機能に対する配分割合をその増量に応じて大きくするとともに、その増量分に応じた配分割合を、オーディオ機能に対する配分割合を７の割合で小さくし、空調機能に対する配分割合を３で小さくして調整する。
【０１１２】
制御装置５が、第２操作部３０が減量操作された場合に、オーディオ機能に対する配分割合をその減量に応じて小さくするとともに、その減量分に応じた配分割合を、走行機能に対する配分割合を大きくして調整する。
【０１１３】
制御装置５が、第３操作部４０が減量操作された場合に、空調機能に対する配分割合をその減量に応じて小さくするとともに、その減量分に応じた配分割合を、走行機能に対する配分割合を大きくして調整する。
【０１１４】
つまり、換言すると、制御装置５が、走行機能以外の一の機能に関する配分割合を変更するユーザ指示があった場合は、走行機能への配分割合を減少させないで、維持させて、又は、増加させて、他の機能に関する配分割合を変更して調整させるものであっても良い。従って、車両において重要度が高い機能である走行機能に対する配分割合が、他の重要度の低い機能の配分割合の変更により減少されることがなく、再調整が不要になって無駄な手間を省くことができる。
【０１１５】
＜変形例２＞
上記代表の実施の形態における制御装置５が備える機能の他に、ナビゲーション機能を備えるものであっても良い。つまり、図１３に示すように、制御装置５Ｙは、通信部５０Ｙ（例えば、ＧＰＳ通信部）、操作・表示部５４Ｙ（例えば、タッチパネル）、音出力部５５Ｙ（例えば、アンプ）、及び、大容量記憶装置５６Ｙ（例えば、ハードディスク）などを更に備え、制御部５１Ｙが通信部５０Ｙから取得する現在位置データと、大容量記憶装置５６Ｙに記憶されている地図データとに基づいてナビゲーション機能を発揮する。
【０１１６】
このような構成により、制御装置５Ｙは、前述する地図データ連携初期設定機能を、車両３に搭載されるナビゲーション機能によって実現することができる。また、地図データ連携初期設定機能を備えることにより、ユーザは車両搭載の電池８０の残存電力により、目的地などへ到達できる距離を走行できるという、安心感を得ることができ、その上で、重要度が高い走行機能と比べて重要度が低いオーディオ機能や空調機能をどれくらい利用できるかを知ることができる。更に、ユーザは、車内においてその機能を利用できるため、出発する際の乗車時に簡易に初期設定ができる。
【０１１７】
なお、制御装置５Ｙはナビゲーション機能にオーディオ機能を備えている。つまり、制御装置５Ｙは、ラジオ機能、ＣＤやＤＶＤなどのコンテンツ再生機能、又は、テレビ機能などを備える。
【０１１８】
＜変形例３＞
上記代表の実施の形態における、第１表示部２１、第２表示部３１、及び、第３表示部４１の変形例を図１４に基づいて説明する。
【０１１９】
操作部４０は、表示部４１を囲む帯状の輪により構成されている。帯状の輪の形態には、静電センサが備えられており、ユーザの指が触れると静電センサが感知し、感知した際の信号を制御装置５へ送信する。また、操作部４０は、所定の機能に対する動作量の変更を、ユーザから受け付ける機能を担っている。従って、ユーザが指で帯状の輪を撫でるように触れることによりその動作量を増減できる。詳述すると、ユーザの指が触れた帯状の輪の面積に応じて動作量を増減するとともに、帯状の輪を右回りに触れられるとその動作量が増加し、左回りに触れられると動作量が減少する。
【０１２０】
表示部４１は、操作部４０の帯状の輪の中に円形に構成されている。表示内容は、所定の機能に関する情報であって、操作する機能の動作量を、制御装置５により表示制御される。
【０１２１】
例えば、図１４に示すように、制御装置５は、空調機能に対する動作量である設定温度４２を表示部４１に表示し、操作部４０がユーザから設定温度の増量操作を受け付けると、増加状態を示すゲージ４３が円形の表示部の縁へ表示する。詳述すると、ユーザの指が触れた操作部４０の帯状の輪の面積の量に応じて、ゲージ４３が増加するとともに、帯状の輪を右回りに触れられるとゲージ４３が増加する。逆に、制御装置５は、操作部４０がユーザから設定温度の減量操作を受け付けると、減少状態を示すゲージ４３が円形の表示部の縁へ表示する。詳述すると、ユーザの指が触れた操作部４０の帯状の輪の面積の量に応じて、ゲージ４３が減少するとともに、帯状の輪を左回りに触れられるとゲージ４３が減少する。
【０１２２】
制御装置５が、このような操作制御と表示制御とを実行することにより、ユーザは運転に集中しながらも、設定温度、又は、音量などのレベル設定を容易にすることができる。つまり、ユーザは、静電センサを用いた操作部４０を操作するので、ブラインドタッチで操作することができ、かつ、その操作結果が操作部４０の近傍の表示部４１に表示されるとともに、それらのレベル表示がユーザの指の操作量に応じて変更するので、操作結果の表示を探す無駄を省いて設定作業が行える。
【０１２３】
＜変形例４＞
上記代表の実施の形態における、第４表示部１０の変形例を図１５に基づいて説明する。制御装置５は、電池の残存電力の電力量を、図１５におけるＸ軸Ｙ軸で表示するＹ軸方向で表し、電力量が満タンの場合は、Ｙ軸のプラス方向の最大位置まで表示し、電力量が減量していくとＹ軸のマイナス方向へ表示を消去していく。また、制御装置５は、図１５に示すように、各配分割合を、第４表示部１０Ｚにおける、Ｙ軸方向において、領域１１Ｚ、領域１２Ｚ、及び、領域１３Ｚを拡げたり狭めたりして表示する。
【０１２４】
また、上記実施の形態では、プログラムに従った制御部の演算処理によってソフトウェア的に各種の機能が実現されると説明したが、これら機能のうちの一部は電気的なハードウェア回路により実現されても良い。また逆に、ハードウェア回路によって実現されるとした機能のうちの一部は、ソフトウェア的に実現されても良い。
【０１２５】
更に、各実施例の制御を説明するフローチャート図における各処理は、便宜上、一の系列で示しているが、細分化された各処理を制御部がマルチタスク制御機能により並列に処理するものであっても良い。
【符号の説明】
【０１２６】
３    車両
４    充電装置
５    制御装置
６    空調制御装置
７    電動機制御装置
８    充放電制御装置
９    オーディオ
１０    表示部
１００    車両
１００    車両外部システム
１０１    屋内ネットワーク
１０Ｚ    表示部
２０    操作部
３０    操作部
３０    表示部
４０    操作部
４０    表示部
５０    制御部
５１    不揮発性気億部
５２    揮発性記憶部
６０    空調装置
７０    電動機
８０    電池
【図１】
0005591524.tif 000002
【図２】
0005591524.tif 000003
【図３】
0005591524.tif 000004
【図４】
0005591524.tif 000005
【図５】
0005591524.tif 000006
【図６】
0005591524.tif 000007
【図７】
0005591524.tif 000008
【図８】
0005591524.tif 000009
【図９】
0005591524.tif 000010
【図１０】
0005591524.tif 000011
【図１１】
0005591524.tif 000012
【図１２】
0005591524.tif 000013
【図１３】
0005591524.tif 000014
【図１４】
0005591524.tif 000015
【図１５】
0005591524.tif 000016